(57)【要約】【課題】サムネイル画像における画像部分の詳細を操作性よく確認することができる携帯端末装置及び携帯端末装置の表示制御方法を提供する。【解決手段】携帯端末装置及び携帯端末装置の表示制御方法は、複数のサムネイル画像を表示画面のサムネイル表示領域に表示し、サムネイル表示領域に表示された複数のサムネイル画像のサムネイル表示領域での選択操作を受け付け、選択操作されたサムネイル画像を表示した状態で該選択操作されたサムネイル画像の拡大画像を表示画面の拡大表示領域に表示し、表示画面での拡大表示領域のサイズの可変操作を受け付け、拡大表示領域のサイズを大きくするときには拡大表示領域のサイズに合わせて拡大画像の拡大倍率を大きくする。【選択図】図６
2020016686.tif 000002
【特許請求の範囲】
【請求項１】
複数の画像データにそれぞれ対応する複数のサムネイル画像を表示画面に表示して前記複数のサムネイル画像を前記表示画面で選択操作可能とする表示制御プログラムと、制御部と、前記複数のサムネイル画像にそれぞれ対応する前記複数の画像データを記憶する記憶部と、前記表示画面を有する表示部とを備えた携帯端末装置であって、
前記表示制御プログラムは、
前記複数のサムネイル画像を前記表示画面のサムネイル表示領域に表示する第１制御ステップと、
前記サムネイル表示領域に表示された前記複数のサムネイル画像の前記サムネイル表示領域での選択操作を受け付ける第２制御ステップと、
前記選択操作されたサムネイル画像を表示した状態で該選択操作されたサムネイル画像の拡大画像を前記表示画面の拡大表示領域に表示する第３制御ステップと、
前記表示画面での前記拡大表示領域のサイズの可変操作を受け付ける第４制御ステップと、
前記拡大表示領域のサイズを大きくするときには前記拡大表示領域のサイズに合わせて前記拡大画像の拡大倍率を大きくする第５制御ステップと
を含む各ステップを前記制御部に実行させることを特徴とする携帯端末装置。
【請求項２】
請求項１に記載の携帯端末装置であって、
前記第５制御ステップでは、前記拡大表示領域のサイズを大きくする分、前記サムネイル画像の表示数を少なくすることを特徴とする携帯端末装置。
【請求項３】
請求項１又は請求項２に記載の携帯端末装置であって、
前記第３制御ステップでは、前記拡大表示領域を前記サムネイル表示領域上に重ねて表示することを特徴とする携帯端末装置。
【請求項４】
請求項１から請求項３までの何れか１つに記載の携帯端末装置であって、
前記第４制御ステップでは、前記選択操作されたサムネイル画像を前記サムネイル表示領域で表示した状態で、前記表示画面での前記拡大表示領域のサイズの可変操作を受け付けることを特徴とする携帯端末装置。
【請求項５】
請求項４に記載の携帯端末装置であって、
前記第２制御ステップでは、以前に選択されたサムネイル画像の選択状態を保持し、
前記第４制御ステップでは、前記選択操作されたサムネイル画像及び前記保持したサムネイル画像を前記サムネイル表示領域で表示した状態で、前記表示画面での前記拡大表示領域のサイズの可変操作を受け付けることを特徴とする携帯端末装置。
【請求項６】
請求項１から請求項５までの何れか１つに記載の携帯端末装置であって、
前記第４制御ステップでは、前記拡大表示領域の所定の最大表示サイズを規定し、前記拡大表示領域のサイズが前記最大表示サイズを超えて大きくなることを禁止することを特徴とする携帯端末装置。
【請求項７】
請求項１から請求項６までの何れか１つに記載の携帯端末装置であって、
前記第５制御ステップでは、前記拡大表示領域のサイズを小さくするときには前記拡大表示領域のサイズに合わせて前記拡大画像の拡大倍率を小さくすることを特徴とする携帯端末装置。
【請求項８】
請求項７に記載の携帯端末装置であって、
前記第５制御ステップでは、前記拡大表示領域のサイズを小さくする分、前記サムネイル画像の表示数を多くすることを特徴とする携帯端末装置。
【請求項９】
請求項１から請求項８までの何れか１つに記載の携帯端末装置であって、
前記第１制御ステップでは、前記表示画面のサイズに合わせて前記サムネイル画像のサイズ及び位置を設定することを特徴とする携帯端末装置。
【請求項１０】
請求項１から請求項９までの何れか１つに記載の携帯端末装置であって、
前記第１制御ステップでは、前記表示画面のサイズに合わせて前記サムネイル画像の表示数を設定することを特徴とする携帯端末装置。
【請求項１１】
請求項１から請求項１０までの何れか１つに記載の携帯端末装置であって、
前記第４制御ステップでは、前記表示画面のサイズに合わせて前記サムネイル表示領域の所定の最大表示サイズを設定することを特徴とする携帯端末装置。
【請求項１２】
請求項１から請求項１１までの何れか１つに記載の携帯端末装置であって、
前記選択操作されたサムネイル画像に対応する画像データを画像形成装置に送信する第６制御ステップをさらに含むことを特徴とする携帯端末装置。
【請求項１３】
請求項１２に記載の携帯端末装置であって、
前記画像形成装置の搭載機能に関する搭載機能データを前記画像形成装置から受信する第７制御ステップと、
前記表示画面において前記画像形成装置の前記搭載機能に合わせて前記画像データの画像形成されるべき画像のプレビュー表示を行う第８制御ステップと
をさらに含むことを特徴とする携帯端末装置。
【請求項１４】
請求項１３に記載の携帯端末装置であって、
前記搭載機能は、予め設定された規定のサイズの用紙に対して画像形成を行う機能であり、
前記第８制御ステップでは、前記表示画面において前記規定のサイズに合わせて前記画像データの画像形成されるべき画像のプレビュー表示を行うことを特徴とする携帯端末装置。
【請求項１５】
複数の画像データにそれぞれ対応する複数のサムネイル画像を表示画面に表示して前記複数のサムネイル画像を前記表示画面で選択操作可能とする携帯端末装置の表示制御方法であって、
前記複数のサムネイル画像を前記表示画面のサムネイル表示領域に表示する第１制御ステップと、
前記サムネイル表示領域に表示された前記複数のサムネイル画像の前記サムネイル表示領域での選択操作を受け付ける第２制御ステップと、
前記選択操作されたサムネイル画像を表示した状態で該選択操作されたサムネイル画像の拡大画像を前記表示画面の拡大表示領域に表示する第３制御ステップと、
前記表示画面での前記拡大表示領域のサイズの可変操作を受け付ける第４制御ステップと、
前記拡大表示領域のサイズを大きくするときには前記拡大表示領域のサイズに合わせて前記拡大画像の拡大倍率を大きくする第５制御ステップと
を含むことを特徴とする携帯端末装置の表示制御方法。
【発明の詳細な説明】
【技術分野】
【０００１】
本発明は、携帯端末装置及び携帯端末装置の表示制御方法に関する。
【背景技術】
【０００２】
スマートフォン、ＰＤＡ（Ｐｅｒｓｏｎａｌ  Ｄｉｇｉｔａｌ  Ａｓｓｉｓｔａｎｔ）、タブレットＰＣ等の携帯端末装置は、近年、カメラ機能や表示画面の性能の向上等により、利用率が増えている。
【０００３】
このような携帯端末装置においては、写真データ等の複数の画像データにそれぞれ対応する複数のサムネイル画像を表示画面に表示して複数のサムネイル画像を表示画面で選択操作可能とすることがある。そして、携帯端末装置では、表示画面に表示された複数のサムネイル画像の中から選択されたサムネイル画像に対応する画像データを特定する。
【先行技術文献】
【特許文献】
【０００４】
【特許文献１】特開２００８−１４６４５３号公報
【特許文献２】特開２０１０−１９８２１２号公報
【発明の概要】
【発明が解決しようとする課題】
【０００５】
従来の携帯端末装置のサムネイル画像の選択は、例えば、次のような課題があった。
【０００６】
すなわち、携帯端末装置では、連写機能や動画からの写真画像の取り出し機能が標準となり、複数の似通った画像データを大量に保存し、これらの画像データに対応するサムネイル画像の中から最適なサムネイル画像を選択する場面が増えている。しかし、複数のサムネイル画像から最適なサムネイル画像を選択することが困難であった。例えば、集合写真等のように、選択の判断材料となる画像部分が小さい場合、画像部分の特徴（具体的には目をつぶっている等の人物の表情）の区別が付け難い。
【０００７】
また、携帯端末装置では、選択されたサムネイル画像の拡大画像を表示する機能もある。この場合、サムネイル画像を表示したサムネイル画面上で拡大画像を併せて表示したり（例えば特許文献１，２参照）、拡大画像のみを表示する拡大専用画像に移動したりすることがある。しかし、サムネイル画面上で拡大画像を併せて表示する場合は、拡大画像の大きさに限界があり、サムネイル画像における画像部分の詳細の確認が依然として困難であった。また、拡大専用画像に移動する場合は、サムネイル画像における画像部分の詳細は確認できるものの拡大専用画像からサムネイル画面に戻す操作が煩雑であり、操作性が悪かった。
【０００８】
そこで、本発明は、サムネイル画像における画像部分の詳細を操作性よく確認することができる携帯端末装置及び携帯端末装置の表示制御方法を提供することを目的とする。
【課題を解決するための手段】
【０００９】
前記課題を解決するために、本発明は、次の携帯端末装置及び携帯端末装置の表示制御方法を提供する。
【００１０】
（１）携帯端末装置
本発明に係る携帯端末装置は、複数の画像データにそれぞれ対応する複数のサムネイル画像を表示画面に表示して前記複数のサムネイル画像を前記表示画面で選択操作可能とする表示制御プログラムと、制御部と、前記複数のサムネイル画像にそれぞれ対応する前記複数の画像データを記憶する記憶部と、前記表示画面を有する表示部とを備えた携帯端末装置であって、前記表示制御プログラムは、前記複数のサムネイル画像を前記表示画面のサムネイル表示領域に表示する第１制御ステップと、前記サムネイル表示領域に表示された前記複数のサムネイル画像の前記サムネイル表示領域での選択操作を受け付ける第２制御ステップと、前記選択操作されたサムネイル画像を表示した状態で該選択操作されたサムネイル画像の拡大画像を前記表示画面の拡大表示領域に表示する第３制御ステップと、前記表示画面での前記拡大表示領域のサイズの可変操作を受け付ける第４制御ステップと、前記拡大表示領域のサイズを大きくするときには前記拡大表示領域のサイズに合わせて前記拡大画像の拡大倍率を大きくする第５制御ステップとを含む各ステップを前記制御部に実行させることを特徴とする。
【００１１】
（２）携帯端末装置の表示制御方法
本発明に係る携帯端末装置の表示制御方法は、複数の画像データにそれぞれ対応する複数のサムネイル画像を表示画面に表示して前記複数のサムネイル画像を前記表示画面で選択操作可能とする携帯端末装置の表示制御方法であって、前記複数のサムネイル画像を前記表示画面のサムネイル表示領域に表示する第１制御ステップと、前記サムネイル表示領域に表示された前記複数のサムネイル画像の前記サムネイル表示領域での選択操作を受け付ける第２制御ステップと、前記選択操作されたサムネイル画像を表示した状態で該選択操作されたサムネイル画像の拡大画像を前記表示画面の拡大表示領域に表示する第３制御ステップと、前記表示画面での前記拡大表示領域のサイズの可変操作を受け付ける第４制御ステップと、前記拡大表示領域のサイズを大きくするときには前記拡大表示領域のサイズに合わせて前記拡大画像の拡大倍率を大きくする第５制御ステップとを含むことを特徴とする。
【発明の効果】
【００１２】
本発明によると、サムネイル画像における画像部分の詳細を操作性よく確認することが可能となる。
【図面の簡単な説明】
【００１３】
【図１】本発明の実施の形態に係る携帯端末装置及び画像形成装置の一例を示す概略構成図である。
【図２】図１に示す携帯端末装置のハードウェア構成を示すブロック図である。
【図３】第１画面を示す携帯端末装置の概略正面図である。
【図４】第２画面を示す携帯端末装置の概略正面図である。
【図５】第３画面を示す携帯端末装置の概略正面図である。
【図６】第４画面を示す携帯端末装置の概略正面図である。
【図７】第５画面を示す携帯端末装置の概略正面図である。
【図８】第６画面を示す携帯端末装置の概略正面図である。
【図９】表示部の表示画面に表示されるプレビュー表示の一例を示す携帯端末装置の概略正面図である。
【図１０】表示部の表示画面に表示されるプレビュー表示の他の例を示す携帯端末装置の概略正面図である。
【図１１】表示部の表示画面に表示されるプレビュー表示のさらに他の例を示す携帯端末装置の概略正面図である。
【図１２】表示部の表示画面に表示されるプレビュー表示のさらに他の例を示す携帯端末装置の概略正面図である。
【図１３】表示部の表示画面に表示されるプレビュー表示のさらに他の例を示す携帯端末装置の概略正面図である。
【発明を実施するための形態】
【００１４】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１５】
＜画像形成システムの構成＞
図１は、本発明の実施の形態に係る携帯端末装置１０及び画像形成装置２０の一例を示す概略構成図である。
【００１６】
図１に示す画像形成システム１００は、１又は２以上の携帯端末装置１０と、１又は２以上の画像形成装置２０とを備えている。なお、図１では、１台の携帯端末装置１０を例示している。画像形成装置２０は、例えば、コンビニエンスストア等の設置場所に設置された複合機である。
【００１７】
携帯端末装置１０と画像形成装置２０とは、短距離無線通信を行う短距離無線通信部１０ａ，２０ａをそれぞれ備えており、相互に通信できるようになっている。短距離無線通信としては、無線ＬＡＮ（Ｌｏｃａｌ  Ａｒｅａ  Ｎｅｔｗｏｒｋ）通信や、無線ＰＡＮ（Ｐｅｒｓｏｎａｌ  Ａｒｅａ  Ｎｅｔｗｏｒｋ）通信を挙げることができる。無線ＬＡＮ通信としては、例えば、ＷｉＦｉ規格に代表されるＩＥＥＥ８０２．１１規格の無線ＬＡＮ通信を挙げることができる。無線ＰＡＮ通信としては、例えば、Ｂｌｕｅｔｏｏｔｈ（登録商標）規格に代表されるＩＥＥＥ８０２．１５規格の無線ＰＡＮ通信を挙げることができる。この例では、無線通信部は、ＩＥＥＥ８０２．１１規格に準拠した通信インターフェイスとされている。
【００１８】
携帯端末装置１０は、画像形成システム１００に含まれない外部のサーバー３０とインターネット等の所定の通信手段を介して通信する。携帯端末装置１０とサーバー３０とは、広域無線通信を行う広域無線通信部１０ｂ，３０ｂをそれぞれ備えており、相互に通信できるようになっている。サーバー３０は、携帯端末装置１０からアップロードされた画像データをデータベースＤＢに保存できるようになっている。携帯端末装置１０は、サーバー３０に保存された画像データをダウンロードできるようになっている。なお、画像形成システム１００は、サーバー３０を含んでいてもよい。
【００１９】
携帯端末装置１０とサーバー３０とが通信する通信手段は、携帯電話の通信規格によるインターネットを介した通信手段や、ＩＥＥＥ８０２．１１規格の無線ＬＡＮ通信によるインターネットを介した通信手段を例示できる。
【００２０】
図１に示す画像形成システム１００における携帯端末装置１０は、電源ボタン１１と、表示部１２ａ（表示パネル）、タッチ操作部１２ｂ（タッチパネル）及び操作ボタン１２ｃを含むユーザーインターフェイス部１２と、受話部１３と、通話部１４とを備えている。電源ボタン１１と操作ボタン１２ｃとは、ハードウェア的な操作ボタンであるが、他の操作ボタンは、表示部１２ａ上のタッチ操作部１２ｂによるソフトウェア的な操作として機能する。
【００２１】
−携帯端末装置のハードウェア構成−
図２は、図１に示す携帯端末装置１０のハードウェア構成を示すブロック図である。
【００２２】
図２に示すように、携帯端末装置１０は、多機能通信携帯端末装置（この例ではスマートフォン）であり、制御部１５（コンピュータの一例）と、記憶部１６と、短距離無線通信部１０ａと、広域無線通信部１０ｂとをさらに備えている。電源ボタン１１、表示部１２ａ、タッチ操作部１２ｂ、操作ボタン１２ｃ、受話部１３、通話部１４、記憶部１６、短距離無線通信部１０ａ及び広域無線通信部１０ｂは、制御部１５に電気的に接続されている。
【００２３】
（ユーザーインターフェイス部）
ユーザーインターフェイス部１２は、表示部１２ａ等の出力装置やタッチ操作部１２ｂ及び操作ボタン１２ｃ等の入力装置を含んでいる。ユーザーインターフェイス部１２では、典型的には、表示制御プログラムＤＰの起動制御や、画像データの表示など動作を行うことが可能である。
【００２４】
（制御部）
制御部１５は、ＣＰＵ（Ｃｅｎｔｒａｌ  Ｐｒｏｃｅｓｓｉｎｇ  Ｕｎｉｔ）等のコンピュータからなっている。制御部１５は、記憶部１６に予め格納（インストール）された表示制御プログラムＤＰを含むプログラムＰを実行することによって、制御部１５に必要な各種の機能を実現するように構成されている。制御部１５は、記憶部１６のＲＯＭ（Ｒｅａｄ  Ｏｎｌｙ  Ｍｅｍｏｒｙ）に予め格納された表示制御プログラムＤＰ等のプログラムＰを記憶部１６のＲＡＭ（Ｒａｎｄｏｍ  Ａｃｃｅｓｓ  Ｍｅｍｏｒｙ）上にロードして実行することにより、各種処理を行う。
【００２５】
また、制御部１５は、通信時におけるデータの送受信、各種の入出力制御及び演算処理の制御を行う。制御部１５は、ユーザーの指による表示部１２ａ上のタッチ操作部１２ｂのタッチ操作を受け付けると、操作位置をタッチ操作部１２ｂで読み取り、表示部１２ａ上の操作位置に表示された操作ボタンが押されたとみなして処理を行う。
【００２６】
（記憶部）
記憶部１６は、ＲＯＭ等の不揮発性メモリ、ＲＡＭ等の揮発性メモリを有している。記憶部１６は、制御部１５の指示の下、情報が書き込まれる書き込み制御及び情報が読み出される読み出し制御がなされる。記憶部１６は、この例では、フラッシュメモリ等の大容量記憶装置とされている。
【００２７】
ここで、記憶部１６には、表示制御プログラムＤＰ等のプログラムＰが予め格納（インストール）されている。表示制御プログラムＤＰは、この例では、スマートフォン等の多機能通信携帯端末装置等に用いられるプログラム、所謂アプリと称されるものであり、予めインストールされているか、又は、図示しないプログラムサーバからインターネット等の通信手段を介してダウンロードされてインストールされたものである。
【００２８】
また、記憶部１６には、携帯端末装置１０のカメラ機能で撮影された写真データや外部記憶媒体から取り込んだ写真データ等の画像データＩＭが格納されている。
【００２９】
（短距離無線通信部）
短距離無線通信部１０ａは、画像形成装置２０における短距離無線通信部２０ａと同一の通信プロトコル（通信規約）で通信可能とされている。
【００３０】
（広域無線通信部）
広域無線通信部１０ｂは、サーバー３０における広域無線通信部３０ｂと同一の通信プロトコル（通信規約）で通信可能とされている。広域無線通信部１０ｂは、サーバー３０に保存された画像データＩＭをサーバー３０から受信する。
【００３１】
−携帯端末装置のソフトウェア構成−
制御部１５は、第１制御手段Ｑ１と、第２制御手段Ｑ２と、第３制御手段Ｑ３と、第４制御手段Ｑ４と、第５制御手段Ｑ５とを備える手段として機能する。すなわち、表示制御プログラムＤＰは、第１制御手段Ｑ１に対応する第１制御ステップと、第２制御手段Ｑ２に対応する第２制御ステップと、第３制御手段Ｑ３に対応する第３制御ステップと、第４制御手段Ｑ４に対応する第４制御ステップと、第５制御手段Ｑ５に対応する第５制御ステップとを含む各ステップを制御部１５に実行させる。
【００３２】
図３から図８は、表示部１２ａの表示画面Ｇに表示される表示例の遷移状態を示す携帯端末装置１０の概略正面図である。図３から図８は、それぞれ、第１画面Ｇ１〜第６画面Ｇ６を示す図である。
【００３３】
表示制御プログラムＤＰは、複数の画像データＩＭ（１）〜ＩＭ（ｎ）（ｎは２以上の整数）にそれぞれ対応する複数のサムネイル画像ＳＮ（１）〜ＳＮ（ｎ）を表示画面Ｇに表示して複数のサムネイル画像ＳＮ（１）〜ＳＮ（ｎ）を表示画面Ｇで選択操作可能とする表示制御プログラムである。記憶部１６は、複数のサムネイル画像ＳＮ（１）〜ＳＮ（ｎ）にそれぞれ対応する複数の画像データＩＭ（１）〜ＩＭ（ｎ）を記憶する。表示部１２ａは、表示画面Ｇを有している。
【００３４】
［第１実施形態］
（第１制御ステップ）
第１制御ステップでは、制御部１５は、複数のサムネイル画像ＳＮ（１）〜ＳＮ（ｎ）を表示画面Ｇのサムネイル表示領域αに表示する（図４参照）。詳しくは、制御部１５は、ユーザーによる表示制御プログラムＤＰの立ち上げ操作により、表示制御プログラムＤＰを立ち上げ、第１画面Ｇ１（画像選択画面）を表示する（図３参照）。次に、制御部１５は、ユーザーによる画像登録ボタン（「画像を登録する」ボタンＴ）への選択操作により、第２画面Ｇ２（サムネイル画像選択画面）を表示する（図４参照）。なお、制御部１５は、サムネイル画像ＳＮ（１）〜ＳＮ（ｎ）が表示画面Ｇの１画面に収まらない場合には、［表示切替］ボタンＦ１を受け付けると、次の画面を表示する。
【００３５】
（第２制御ステップ）
第２制御ステップでは、制御部１５は、表示画面Ｇに表示された複数のサムネイル画像ＳＮ（１）〜ＳＮ（ｎ）（この例ではｎ＝２４：６行×４列）の表示画面Ｇでの選択操作を受け付ける（図４参照）。詳しくは、制御部１５は、ユーザーによるサムネイル画像ＳＮ（１）〜ＳＮ（ｎ）への選択操作により、サムネイル画像ＳＮ（ｉ）（ｉは１からｎまでの何れかの整数、この例ではｉ＝１４）の選択操作を受け付ける。
【００３６】
（第３制御ステップ）
第３制御ステップでは、制御部１５は、選択操作されたサムネイル画像ＳＮ（ｉ）を表示した状態で該選択操作されたサムネイル画像ＳＮ（ｉ）の拡大画像Ｅを表示画面Ｇの拡大表示領域βに表示する（図５参照）。詳しくは、制御部１５は、中央のサムネイル画像ＳＮ（９）〜ＳＮ（１６）（２列分）の何れかが選択された場合には、上側のサムネイル画像ＳＮ（１）〜ＳＮ（８）（２列分）又は下側のサムネイル画像ＳＮ（１７）〜ＳＮ（２４）（２列分）の箇所に拡大表示領域βを表示画面Ｇに表示する。また、制御部１５は、上側のサムネイル画像ＳＮ（１）〜ＳＮ（８）の何れかが選択された場合には、中央のサムネイル画像ＳＮ（９）〜ＳＮ（１６）又は下側のサムネイル画像ＳＮ（１７）〜ＳＮ（２４）の箇所に拡大表示領域βを表示画面Ｇに表示する。また、制御部１５は、下側のサムネイル画像ＳＮ（１７）〜ＳＮ（１９）が選択された場合には、中央のサムネイル画像ＳＮ（９）〜ＳＮ（１６）又は上側のサムネイル画像ＳＮ（１）〜ＳＮ（８）の箇所に拡大表示領域βを表示画面Ｇに表示する。
【００３７】
（第４制御ステップ）
第４制御ステップでは、制御部１５は、表示画面Ｇでの拡大表示領域βのサイズの可変操作を受け付ける（図６参照）。詳しくは、制御部１５は、拡大表示領域βのサムネイル表示領域α側の表示領域線γへのタッチ操作がサムネイル表示領域α側に移動すると、拡大表示領域βのサイズを大きくする。また、制御部１５は、表示領域線γへのタッチ操作がサムネイル表示領域α側とは反対側に移動すると、拡大表示領域βのサイズを小さくする。
【００３８】
（第５制御ステップ）
第５制御ステップでは、制御部１５は、拡大表示領域βのサイズを大きくするときには拡大表示領域βのサイズに合わせて拡大画像Ｅの拡大倍率を大きくする。（図６参照）。詳しくは、制御部１５は、拡大画像Ｅのサイズが所定のサイズ（例えば表示画面Ｇの横サイズ）になるまで拡大画像Ｅを拡大する。
【００３９】
その後、制御部１５は、ユーザーにより［完了］ボタンＦ２（図８参照）がタッチ操作されると、選択されたサムネイル画像ＳＮ（ｉ）を確定し、無線通信で画像形成装置２０にサムネイル画像ＳＮ（ｉ）に対応する画像データＩＭを送信する。
【００４０】
そして、画像形成装置２０では、印刷設定後に携帯端末装置１０から送られてきた画像データＩＭを印刷する。
【００４１】
（本実施の形態について）
本実施の形態によると、制御部１５は、複数のサムネイル画像ＳＮ（１）〜ＳＮ（ｎ）を表示画面Ｇのサムネイル表示領域αに表示し（第１制御ステップ：図４参照）、サムネイル表示領域αに表示された複数のサムネイル画像ＳＮ（１）〜ＳＮ（ｎ）のサムネイル表示領域αでの選択操作を受け付ける（第２制御ステップ：図４参照）。ユーザーは、表示画面Ｇのサムネイル表示領域αに表示された複数のサムネイル画像ＳＮ（１）〜ＳＮ（ｎ）の中からサムネイル表示領域αに対して所望のサムネイル画像ＳＮ（ｉ）を選択操作（タッチ操作）する（図４参照）。制御部１５は、選択操作されたサムネイル画像ＳＮ（ｉ）を表示した状態で該選択操作されたサムネイル画像ＳＮ（ｉ）の拡大画像Ｅを表示画面Ｇの拡大表示領域βに表示し（第３制御ステップ：図５参照）、表示画面Ｇでの拡大表示領域βのサイズの可変操作を受け付ける（第４制御ステップ：図５）。ユーザーは、表示画面Ｇの拡大表示領域βに表示されたサムネイル画像ＳＮ（ｉ）の拡大画像Ｅに対してさらに拡大したいときは、拡大表示領域βに対する拡大操作を行う。そうすると、制御部１５は、拡大表示領域βのサイズを大きくする（第５制御ステップ：図６参照）。このとき、制御部１５は、拡大表示領域βのサイズに合わせて拡大画像Ｅの拡大倍率を大きくする。こうすることで、拡大画像Ｅを拡大表示領域βの全体に表示することができる。これにより、サムネイル画像ＳＮ（ｉ）における画像部分の詳細を操作性よく確認することができる。
【００４２】
一方、ユーザーは、拡大されたサムネイル画像ＳＮ（ｉ）の拡大画像Ｅを元に戻したいときは、拡大表示領域βに対する縮小操作を行う。そうすると、制御部１５は、拡大表示領域βのサイズを元のサイズまで小さくする（第５制御ステップ：図５参照）。このとき、制御部１５は、拡大表示領域βのサイズに合わせて拡大画像Ｅの拡大倍率を小さくする。
【００４３】
［第２実施形態］
本実施の形態において、制御部１５は、拡大表示領域βのサイズを大きくする分、サムネイル画像の表示数を少なくする（第５制御ステップ：図６参照）。こうすることで、拡大表示領域βのサイズを大きくしてもサムネイル画像の表示サイズを維持することができる。これにより、サムネイル画像をユーザーが認識し易くすることができる。
【００４４】
［第３実施形態］
本実施の形態において、制御部１５は、拡大表示領域βをサムネイル表示領域α上に重ねて表示する（第３制御ステップ：図５及び図６参照）。こうすることで、拡大表示領域βを表示画面Ｇに容易に表示させることができる。
【００４５】
［第４実施形態］
本実施の形態において、制御部１５は、選択操作されたサムネイル画像ＳＮ（ｉ）をサムネイル表示領域αで表示した状態で、表示画面Ｇでの拡大表示領域βのサイズの可変操作を受け付ける（第４制御ステップ：図６参照）。こうすることで、選択操作されたサムネイル画像ＳＮ（ｉ）をサムネイル表示領域αで表示した状態で拡大表示領域βを拡大させることができる。これにより、拡大表示領域βを拡大させる際でも選択操作されたサムネイル画像ＳＮ（ｉ）を確保することができる。
【００４６】
［第５実施形態］
本実施の形態において、制御部１５は、以前に選択されたサムネイル画像ＳＮ（ｊ）（ｊはｉ以外の１からｎまでの何れかの整数、この例ではｊ＝１１，１５）の選択状態を保持する（第２制御ステップ：図７参照）。このとき、ユーザーは、もう一度タッチ操作する。そうすると、制御部１５は、選択されたサムネイル画像ＳＮ（ｉ）の選択を解除する。制御部１５は、選択操作されたサムネイル画像ＳＮ（ｉ）及び保持したサムネイル画像ＳＮ（ｊ）をサムネイル表示領域αで表示した状態で、表示画面Ｇでの拡大表示領域βのサイズの可変操作を受け付ける（第４制御ステップ）。
【００４７】
こうすることで、選択操作されたサムネイル画像ＳＮ（ｉ）及び保持したサムネイル画像ＳＮ（ｊ）をサムネイル表示領域αで表示した状態で拡大表示領域βを拡大させることができる。これにより、拡大表示領域βを拡大させる際でも選択操作されたサムネイル画像ＳＮ（ｉ）及び保持したサムネイル画像ＳＮ（ｊ）を確保することができる。
【００４８】
なお、ユーザーは、表示画面Ｇに対して他のサムネイル画像ＳＮ（ｉ）をタッチ操作すると、制御部１５は、以前に選択操作されたサムネイル画像ＳＮ（ｊ）を解除し、今回選択操作された他のサムネイル画像ＳＮ（ｉ）を表示した状態で該選択操作されたサムネイル画像ＳＮ（ｉ）の拡大画像Ｅを表示画面Ｇの拡大表示領域βに表示し（第３制御ステップ）、表示画面Ｇでの拡大表示領域βのサイズの可変操作を受け付ける（第４制御ステップ）ようになっていてもよい。
【００４９】
［第６実施形態］
ところで、表示画面Ｇのサイズが携帯端末装置１０の各機種によって様々であり、拡大画像Ｅの解像度を予め特定することができない。このため、サムネイル画像に対応する拡大画像Ｅを拡大する際に、拡大画像Ｅの拡大処理が煩雑となる。特に、制御部１５の処理速度が遅い機種では処理時間が長くかかり、それだけ拡大画像Ｅの拡大時に拡大画像Ｅを円滑に表示させることが困難である。このことは、表示制御プログラムＤＰが搭載される携帯端末装置１０が汎用機〔例えばＡＮＤＲＯＩＤ（登録商標）機〕である場合に特に顕著となる。
【００５０】
この点、本実施の形態において、制御部１５は、拡大表示領域βの所定の最大表示サイズを規定し、拡大表示領域βのサイズが最大表示サイズを超えて大きくなることを禁止する（第４制御ステップ）。
【００５１】
こうすることで、拡大画像Ｅの解像度を予め特定することができる。これにより、サムネイル画像ＳＮ（ｉ）に対応する拡大画像Ｅを拡大する際に、拡大画像Ｅの拡大処理を容易にすることができる。特に、制御部１５の処理速度が遅い機種でも処理時間を短縮化することができ、それだけ拡大画像Ｅの拡大時に拡大画像Ｅを円滑に表示させることができる。なお、携帯端末装置１０は、自身の表示画面Ｇのサイズの情報を有している。そして、制御部１５は、表示制御プログラムＤＰにおいて携帯端末装置１０自身の表示画面Ｇのサイズの情報を利用する。
【００５２】
［第７実施形態］
本実施の形態において、制御部１５は、拡大表示領域βのサイズを小さくするときには拡大表示領域βのサイズに合わせて拡大画像Ｅの拡大倍率を小さくする（第５制御ステップ）。こうすることで、拡大画像Ｅを拡大表示領域βの全体に表示することができる。
【００５３】
［第８実施形態］
本実施の形態において、制御部１５は、拡大表示領域βのサイズを小さくする分、サムネイル画像の表示数を多くする（第５制御ステップ：図５参照）。こうすることで、拡大表示領域βのサイズを小さくしたときに、サムネイル画像の表示数を増加させることができる。
【００５４】
［第９実施形態］
ところで、表示画面Ｇのサイズが携帯端末装置１０の各機種によって様々であり、サムネイル画像ＳＮ（１）〜ＳＮ（ｎ）のサイズによってはサムネイル画像ＳＮ（１）〜ＳＮ（ｎ）が表示画面Ｇに所望の表示数で入らなかったり、サムネイル画像ＳＮ（１）〜ＳＮ（ｎ）の位置がずれたりする。このことは、携帯端末装置１０が汎用機である場合に特に顕著となる。
【００５５】
この点、本実施の形態において、制御部１５は、表示画面Ｇのサイズに合わせてサムネイル画像ＳＮ（１）のサイズ及び位置を設定する（第１制御ステップ：図４参照）。具体的には、制御部１５は、表示画面Ｇのサイズが大きい程、サムネイル画像ＳＮ（１）〜ＳＮ（ｎ）のサイズを大きく設定する、及び／又は、サムネイル画像ＳＮ（１）〜ＳＮ（ｎ）の位置をユーザーが認識し易い位置に設定する。また、制御部１５は、表示画面Ｇのサイズが小さい程、サムネイル画像ＳＮ（１）〜ＳＮ（ｎ）のサイズを小さく設定する、及び／又は、サムネイル画像ＳＮ（１）〜ＳＮ（ｎ）の位置をユーザーが認識し易い位置に設定する。こうすることで、各機種の携帯端末装置１０の表示画面Ｇのサイズに関わらず、サムネイル画像ＳＮ（１）〜ＳＮ（ｎ）を所望の表示数で表示画面Ｇ内に収めることができ、サムネイル画像ＳＮ（１）〜ＳＮ（ｎ）の位置のずれを効果的に防止することができる。
【００５６】
［第１０実施形態］
ところで、表示画面Ｇのサイズが携帯端末装置１０の各機種によって様々であり、サムネイル画像ＳＮ（１）〜ＳＮ（ｎ）の表示数によってはサムネイル画像ＳＮ（１）〜ＳＮ（ｎ）のサイズが小さ過ぎてサムネイル画像ＳＮ（１）〜ＳＮ（ｎ）をユーザーが認識し難い場合がある。このことは、携帯端末装置１０が汎用機である場合に特に顕著となる。
【００５７】
この点、本実施の形態において、制御部１５は、表示画面Ｇのサイズに合わせてサムネイル画像の表示数を設定する（第１制御ステップ）。具体的には、制御部１５は、表示画面Ｇのサイズが小さい程、サムネイル画像ＳＮ（１）〜ＳＮ（ｎ）の表示数を少なく設定する。こうすることで、サムネイル画像ＳＮ（１）〜ＳＮ（ｎ）のサイズを維持することができ、これにより、各機種の携帯端末装置１０の表示画面Ｇのサイズに関わらず、サムネイル画像ＳＮ（ｉ）をユーザーが認識し易いサイズにすることができる。
【００５８】
［第１１実施形態］
本実施の形態において、制御部１５は、表示画面Ｇのサイズに合わせてサムネイル表示領域αの所定の最大表示サイズを設定する（第４制御ステップ：図５参照）。こうすることで、各機種の携帯端末装置１０の表示画面Ｇのサイズに関わらず、サムネイル画像ＳＮ（１）〜ＳＮ（ｎ）をユーザーが認識し易い状態で、サムネイル画像ＳＮ（１）〜ＳＮ（ｎ）をサムネイル表示領域αに最適に表示することができる。
【００５９】
［第１２実施形態］
本実施の形態において、制御部１５は、第６制御手段Ｑ６をさらに備える手段として機能する。すなわち、表示制御プログラムＤＰは、第６制御手段Ｑ６に対応する第６制御ステップをさらに含む各ステップを制御部１５に実行させる。
【００６０】
第６制御ステップでは、制御部１５は、選択操作されたサムネイル画像ＳＮ（ｉ）に対応する画像データＩＭを画像形成装置２０に送信する。こうすることで、携帯端末装置１０の画像データＩＭを画像形成装置２０で受信することができ、これにより画像形成装置２０で画像データＩＭに基づく画像を印刷することができる。
【００６１】
［第１３実施形態］
ところで、フィールドで稼働している画像形成装置２０は、例えば、Ｌ版サイズ［８９ｍｍ×１２７ｍｍ］や２Ｌ版サイズ［１２７ｍｍ×１７８ｍｍ］以上の用紙に印刷できるようになっているものもあれば、Ａ４サイズ［２１０ｍｍ×２９７ｍｍ］、Ａ４サイズ以上の用紙にしか印刷できないようになっているものがあり、各画像形成装置２０，２１，…（符号２１，…は不図示）によって搭載機能が異なっている。従って、選択操作されたサムネイル画像ＳＮ（ｉ）に対応する画像データＩＭを携帯端末装置１０が画像形成装置２０に送信する場合、画像形成装置２０の操作部における表示画面において画像形成装置２０の搭載機能に合わせて画像データＩＭの画像形成されるべき画像のプレビュー表示を行う。このため、携帯端末装置１０から送られてきた画像データＩＭのサイズ（縦横比）によっては画像データＩＭの一部がプレビュー表示されないことがある。
【００６２】
例えば、選択操作されたサムネイル画像ＳＮ（ｉ）に対応する画像データＩＭの画像サイズがＬ版サイズであるのに対して、画像データＩＭの送信先の画像形成装置２０にはＬ版サイズの用紙に印刷する機能が搭載されていない場合、画像形成装置２０における表示画面には、画像データＩＭの一部が欠落した状態でプレビュー表示される。そうすると、ユーザーは、画像データＩＭを携帯端末装置１０から画像形成装置２０に送信した後、携帯端末装置１０で画像データＩＭを画像形成装置２０に搭載機能に合うように画像データＩＭを加工し、加工した画像データＩＭを画像形成装置２０に再度送信する必要がある。このため、ユーザーは画像データＩＭを画像形成装置２０に２度送信する必要があり、それだけ送信操作に手間がかかる。
【００６３】
この点、本実施の形態において、制御部１５は、第７制御手段Ｑ７と、第８制御手段Ｑ８とをさらに備える手段として機能する。すなわち、表示制御プログラムＤＰは、第７制御手段Ｑ７に対応する第７制御ステップと、第８制御手段Ｑ８に対応する第８制御ステップとをさらに含む各ステップを制御部１５に実行させる。
【００６４】
第７制御ステップでは、制御部１５は、画像形成装置２０の搭載機能に関する搭載機能データを画像形成装置２０から受信する。第８制御ステップでは、制御部１５は、表示部１２ａの表示画面Ｇにおいて画像形成装置２０の搭載機能に合わせて画像データＩＭの画像形成されるべき画像のプレビュー表示を行う。
【００６５】
こうすることで、携帯端末装置１０における制御部１５は、表示部１２ａの表示画面Ｇにおいて事前に画像形成装置２０の搭載機能に合わせて画像データＩＭの画像形成されるべき画像のプレビュー表示を行うことができる。これにより、ユーザーは、画像データＩＭを画像形成装置２０に送信する前に携帯端末装置１０で画像データＩＭを画像形成装置２０に搭載機能に合うように画像データを加工することができる。従って、ユーザーは、携帯端末装置１０における画像データＩＭの画像形成装置２０への送信を１度で済ませることができ、それだけ送信操作の手間を省くことができる。
【００６６】
例えば、搭載機能は、予め設定された規定のサイズ（Ｌ版サイズ又は２Ｌ版サイズ、Ａ４サイズ）の用紙に対して画像形成を行う機能である。制御部１５は、表示部１２ａの表示画面Ｇにおいて規定のサイズに合わせて画像データＩＭの画像形成されるべき画像のプレビュー表示を行う（第８制御ステップ）。
【００６７】
図９から図１３は、それぞれ、表示部１２ａの表示画面Ｇに表示されるプレビュー表示の例を示す携帯端末装置１０の概略正面図である。
【００６８】
例えば、制御部１５は、表示部１２ａの表示画面ＧにおいてＬ版サイズ又は２Ｌ版サイズに合わせて画像データＩＭの画像形成されるべき写真画像のプレビュー表示を行う（図９、図１０参照）。また、制御部１５は、表示部１２ａの表示画面ＧにおいてＡ４又はＡ３サイズに合わせて画像データＩＭの画像形成されるべき白黒両面画像又はカラー片面画像のプレビュー表示を行う（図１１、図１２参照）。なお、サムネイル画像が複数選択されている場合には、表示画面Ｇ上の進む操作ボタンのタッチ操作で次の画像データＩＭのプレビュー表示を行い、また、表示画面Ｇ上の戻る操作ボタンのタッチ操作で前の画像データＩＭのプレビュー表示を行うことができる。
【００６９】
また、制御部１５は、選択操作されたサムネイル画像ＳＮ（ｉ）に対応する画像データＩＭの画像サイズがＬ版サイズの写真画像、２Ｌ版サイズの写真画像、Ａ４サイズの白黒両面画像、Ａ３サイズのカラー片面画像であるのに対して、画像データＩＭの送信先の画像形成装置２０には対応する機能が搭載されていない場合、携帯端末装置１０における表示部１２ａの表示画面Ｇには、画像データＩＭが画像形成装置２０で印刷できない旨のメッセージを表示する（図１３参照）。
【００７０】
画像形成システム１００は、携帯端末装置１０と、画像形成装置２０とを備えている。
【００７１】
本実施の形態において、携帯端末装置１０における制御部１５は、第９制御手段Ｑ９と、第１０制御手段Ｑ１０とをさらに備える手段として機能する。すなわち、表示制御プログラムＤＰは、第９制御手段Ｑ９に対応する第９制御ステップと、第１０制御手段Ｑ１０に対応する第１０制御ステップとをさらに含む各ステップを制御部１５に実行させる。
【００７２】
第９制御ステップでは、制御部１５は、選択操作されたサムネイル画像ＳＮ（ｉ），ＳＮ（ｊ）に対応する画像データＩＭ（ｉ），ＩＭ（ｊ）を、サーバー３０に送信する。第１０制御ステップでは、制御部１５は、サーバー３０のデータベースＤＢに保存された画像データＩＭ（ｉ），ＩＭ（ｊ）を受信する。サーバー３０は、携帯端末装置１０から送られてきた画像データＩＭ（ｉ），ＩＭ（ｊ）をデータベースＤＢに保存する。
【００７３】
こうすることで、ユーザーは、携帯端末装置１０で選択操作したサムネイル画像ＳＮ（ｉ），ＳＮ（ｊ）に対応する画像データＩＭ（ｉ），ＩＭ（ｊ）をサーバー３０のデータベースＤＢに保存することができる。また、ユーザーは、サーバー３０のデータベースＤＢに保存した画像データＩＭ（ｉ），ＩＭ（ｊ）を携帯端末装置１０に受信することができる。
【００７４】
ところで、一の設置場所に設置されている一の機種の画像形成装置２０に対して印刷した画像データＩＭをサーバー３０のデータベースＤＢに保存しておく。一方、他の設置場所に設置されている他の機種の画像形成装置２０に対して印刷する場合、他の画像形成装置２０に搭載されている搭載機能が一の画像形成装置２０に搭載されている機能を有していない場合がある。
【００７５】
この点、本実施の形態では、携帯端末装置１０における制御部１５は、表示部１２ａの表示画面Ｇにおいて事前に画像形成装置２０の搭載機能に合わせてサーバー３０に保存された画像データＩＭの画像形成されるべき画像のプレビュー表示を行うことができる。これにより、ユーザーは、サーバー３０に保存された画像データＩＭを画像形成装置２０に送信する前に携帯端末装置１０で画像データＩＭを画像形成装置２０に搭載機能に合うように画像データＩＭを加工することができる。従って、ユーザーは、携帯端末装置１０における画像データＩＭの画像形成装置２０への送信を１度で済ませることができ、それだけ送信操作の手間を省くことができる。
【００７６】
本発明は、以上説明した実施の形態に限定されるものではなく、他のいろいろな形で実施することができる。そのため、係る実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００７７】
１０          携帯端末装置
１０ａ        短距離無線通信部
１０ｂ        広域無線通信部
１１          電源ボタン
１２          ユーザーインターフェイス部
１２ａ        表示部
１２ｂ        タッチ操作部
１２ｃ        操作ボタン
１３          受話部
１４          通話部
１５          制御部
１６          記憶部
２０          画像形成装置
２０ａ        短距離無線通信部
３０          サーバー
３０ｂ        広域無線通信部
１００        画像形成システム
ＤＢ          データベース
ＤＰ          表示制御プログラム
Ｅ            拡大画像
Ｆ１          ［表示切替］ボタン
Ｆ２          ［完了］ボタン
Ｇ            表示画面
Ｇ１〜Ｇ６    第１画面から第６画面
ＩＭ          画像データ
Ｐ            プログラム
Ｑ１〜Ｑ１０  第１制御手段から第１０制御手段
ＳＮ          サムネイル画像
Ｔ            「画像を登録する」ボタン
α            サムネイル表示領域
β            拡大表示領域
γ            表示領域線
【図１】
2020016686.tif 000003
【図２】
2020016686.tif 000004
【図３】
2020016686.tif 000005
【図４】
2020016686.tif 000006
【図５】
2020016686.tif 000007
【図６】
2020016686.tif 000008
【図７】
2020016686.tif 000009
【図８】
2020016686.tif 000010
【図９】
2020016686.tif 000011
【図１０】
2020016686.tif 000012
【図１１】
2020016686.tif 000013
【図１２】
2020016686.tif 000014
【図１３】
2020016686.tif 000015